(57)【要約】【課題】  比較的強度の小さい木製握り部材であっても、耐久性に優れた確実な固定状態が維持できる握り部材の結合構造を得、握り部材の脱落を防止する。【解決手段】  握り部材９を、操作軸５に取り付ける中間軸部材７を備え、握り部材９は、回転中心軸線１１の方向に凹設された嵌合穴１５と、嵌合穴１５の底面に凹設されたビス用穴１７とを有するとともに、嵌合穴１５の半径方向外側に少なくとも一つの回転規制凹部１８を有し、中間軸部材７は、基端面に、操作軸５に嵌合する穴２３が形成され、先端面にはビス挿通穴３５が形成されて嵌合穴１５に嵌合する嵌合軸３３を有するとともに、回転規制凹部１８に嵌入される回転規制突起３９を有し、嵌合軸３３を嵌合穴１５に嵌合し、回転規制突起３９を回転規制凹部１８に嵌入した中間軸部材７と握り部材９とを、ビス挿通穴３５に挿通した固定ビス３７をビス用穴１７に螺着することで相互に固定した。【選択図】      図１
2005320738.tif 000002
【特許請求の範囲】
【請求項１】
扉に設けられた錠箱から突出される操作軸に、握り部材を固定する握り部材の結合構造であって、
前記握り部材を、前記操作軸に取り付ける中間軸部材を備え、
前記握り部材は、回転中心軸線の方向に凹設された嵌合穴と、該嵌合穴の底面に該嵌合穴より小径で同軸に凹設されたビス用穴とを有するとともに、該嵌合穴の半径方向外側に少なくとも一つの回転規制凹部を有し、
前記中間軸部材は、回転中心軸線方向一方の基端面に、前記操作軸に嵌合する穴が同軸に形成され、先端面には回転中心と同軸で突設されかつ先端にビス挿通穴が穿設されて前記嵌合穴に嵌合する嵌合軸を有するとともに、前記回転規制凹部に嵌入される回転規制突起を有し、
前記嵌合軸を前記嵌合穴に嵌合するとともに、回転規制突起を前記回転規制凹部に嵌入した前記中間軸部材と前記握り部材とが、前記ビス挿通穴に挿通された固定ビスを前記ビス用穴に螺着することで相互に固定されたことを特徴とする握り部材の結合構造。
【発明の詳細な説明】
【技術分野】
【０００１】
本発明は、扉に設けられた錠箱から突出される操作軸に、握り部材を固定する握り部材の結合構造に関する。
【背景技術】
【０００２】
空調設備が常時可動するオフィスビルやホテル等では、空気が乾燥し、また、特に絨毯等が敷きつめられていると静電気が発生し易く、金属製の扉用握り部材（ドアノブ）を握った場合、静電気がドアノブを介してドアへ放電されることで、操作者に不快感を生じさせることがある。また、金属製のドアノブは、冷たい感じを受けることから、特に居住環境が重視されるホテル等では、良好な操作感触の得られるドアノブの要請がある。このような要請や上記不快感を解消するものとして、木製のドアノブが従来より提供されている。
【０００３】
木製のドアノブは、例えば略球状に形成されている。このドアノブの取り付け面には、雌ネジが形成される。一方、扉に設けられた錠箱からはドアノブに結合される操作軸が突出されている。操作軸の先端には中間軸部材が相対回転不能に取り付けられる。この中間軸部材の先端には、ドアノブの雌ネジに螺合する雄ネジが形成される。木製のドアノブは、中間軸部材の雄ネジに雌ネジが螺合されて中間軸部材と一体に結合され、この中間軸部材が操作軸に取り付けられることで、中間軸部材を介して操作軸に固定される。また、雄ネジと雌ネジの間には接着剤が塗布され、中間軸部材とドアノブとはより強固に固定されるようになされていた。
【発明の開示】
【発明が解決しようとする課題】
【０００４】
しかしながら、従来の握り部材の結合構造は、操作軸の外周に形成された雄ネジと、ドアノブに形成された雌ネジとを螺合する構造であったため、例え両ネジ間が接着剤によって強固に固定された場合であっても、回転操作時に螺合解除方向の力が発生して、螺合部に解除方向の力が加わった。握り部材の結合構造では、一般的に操作軸が回転操作方向に対して復元方向へ付勢されているため、たとえ雄ネジ・雌ネジの螺合方向が操作回転方向と同じ方向であっても、その付勢力によって逆方向の反力（螺合を緩める方向の力）が発生する。このため、ドアノブが操作される都度、螺合解除方向の回転モーメントが雄ネジ・雌ネジ間の螺合部に作用し、特に強度の低い木製のドアノブの場合では雌ネジに変形等が生じ、結合構造としての耐久性が乏しく、長期間の使用によっては固定状態が維持できなくなり、ドアノブが脱落する虞があった。
【０００５】
本発明は上記状況に鑑みてなされたもので、比較的強度の小さい木製握り部材であっても、耐久性に優れた確実な固定状態が維持できる握り部材の結合構造を提供し、もって、握り部材の脱落防止を図ることを目的とする
【課題を解決するための手段】
【０００６】
次に、上記の課題を解決するための手段を、実施の形態に対応する図面を参照して説明する。
本発明に係る握り部材の結合構造は、扉１に設けられた錠箱３から突出される操作軸５に、握り部材９を固定する握り部材の結合構造であって、
前記握り部材９を、前記操作軸５に取り付ける中間軸部材７を備え、
前記握り部材９は、回転中心軸線１１の方向に凹設された嵌合穴１５と、該嵌合穴１５の底面に該嵌合穴１５より小径で同軸に凹設されたビス用穴１７とを有するとともに、該嵌合穴１５の半径方向外側に少なくとも一つの回転規制凹部１８を有し、
前記中間軸部材７は、回転中心軸線方向一方の基端面２１に、前記操作軸５に嵌合する穴２３が同軸に形成され、先端面には回転中心と同軸で突設されかつ先端にビス挿通穴３５が穿設されて前記嵌合穴１５に嵌合する嵌合軸３３を有するとともに、前記回転規制凹部１８に嵌入される回転規制突起３９を有し、
前記嵌合軸３３を前記嵌合穴１５に嵌合するとともに、回転規制突起３９を前記回転規制凹部１８に嵌入した前記中間軸部材７と前記握り部材９とが、前記ビス挿通穴３５に挿通された固定ビス３７を前記ビス用穴１７に螺着することで相互に固定されたことを特徴とする。
【０００７】
この握り部材の結合構造では、嵌合軸３３と嵌合穴１５とが嵌合されると、中間軸部材７と握り部材９との中心が一致するように位置決めされ、回転規制突起３９と回転規制凹部１８とが嵌合されて、相対回転が規制される。また、握り部材９は、中間軸部材７に挿通されて握り部材９に螺合された固定ビス３７によって抜けが規制される。そして、このような結合構造では、回転規制突起３９が嵌合穴１５の外側に配設されることから、例えば嵌合軸３３の外周にキーを設ける回転規制構造に比べ、小さな回転規制力によって回転操作力（回転モーメント）が受け止められることになる。したがって、握り部材９が比較的強度の小さい木材であっても、回転規制突起３９より受ける反力が少なくなり、回転規制凹部１８の拡大変形等が抑止されて、耐久性が高められる。
【発明の効果】
【０００８】
本発明に係る握り部材の結合構造によれば、握り部材を、操作軸に取り付ける中間軸部材を備え、握り部材に、嵌合穴と、回転規制凹部とを設け、中間軸部材に、操作軸に嵌合する穴と、嵌合軸と、回転規制突起とを設け、嵌合軸を嵌合穴に嵌合するとともに、回転規制突起を回転規制凹部に嵌入した中間軸部材と握り部材とを、ビス挿通穴に挿通した固定ビスをビス用穴に螺着することで相互に固定したので、嵌合軸と嵌合穴とを嵌合させることで、中間軸部材と握り部材との中心が位置決めされ、これにより回転規制突起と回転規制凹部とが嵌合され、相対回転を規制できる。また、握り部材は、握り部材に螺合された固定ビスによって抜けが規制される。そして、回転規制突起が、嵌合穴の外側に位置しているので、例えば嵌合軸の外周近傍にキーを設ける回転規制構造に比べ、回転規制凹部に作用する回転モーメントを小さくすることができる。したがって、握り部材が比較的強度の小さい木材であっても、回転規制凹部の拡大変形等を抑止して、耐久性を高めることができる。この結果、確実な固定状態が長期間に渡って維持可能となり、握り部材の脱落を防止することができる。
【発明を実施するための最良の形態】
【０００９】
以下、本発明に係る握り部材の結合構造の好適な実施の形態を図面を参照して詳細に説明する。
図１は本発明に係る握り部材の結合構造の断面図、図２は図１に示した結合構造の握り部材を外した状態の分解斜視図、図３は回転規制凹部の配置例を（ａ）〜（ｃ）で表した説明図、図４は図２に示した中間軸部材の斜視図、図５は変形例の握り部材を固定した本発明に係る結合構造の断面図である。
【００１０】
本実施の形態による握り部材の結合構造は、扉１に設けられた錠箱３から突出した例えば角柱状の操作軸５に対し、中間軸部材７を介して握り部材であるドアノブ９を固定する構造となる。
本実施の形態において、ドアノブ９は木製、例えば水目桜強化木やチーク材を素材としており、かつ略球形状に形成される。図２に示すように、ドアノブ９の外面の一部分には、中心を通る回転中心軸線１１に垂直な平面の結合面１３が形成されている。結合面１３は、ドアノブ９の外面より若干凹んだ円形状で形成されている。この結合面１３には、回転中心軸線１１と同軸の嵌合穴１５が穿設される。図１に示すように嵌合穴１５の底部には、さらに同軸のビス用穴（木ネジの下穴等）１７が穿設される。
【００１１】
ドアノブ９の結合面１３には、嵌合穴１５の半径方向外側に、少なくとも一つの回転規制凹部１８が穿設されている。本実施の形態では、図１，２，３（ｂ）に示すように、嵌合穴１５を挟んで一対の回転規制凹部１８，１８が設けられている（図３（ｂ）においては、嵌合穴１５を角穴で形成した場合を例示する）。また、この他、回転規制凹部１８は、図３（ａ）（ｃ）に示すように、一つ又は三つ以上の複数であってもよい。さらに、本実施の形態による回転規制凹部１８は、円形穴であるが、この他、角穴や段部（結合面１３を掘下げた凹み）であってもよい。
【００１２】
本実施の形態において、中間軸部材７は、金属素材を用いて形成される。中間軸部材７は、本体部１９が円柱形状に形成され、図４に示す基端面２１には操作軸５に嵌合される角穴２３が穿設されている。本体部１９の外周面には角穴２３に通じるネジ穴２５が穿設される。中間軸部材７は、操作軸５に角穴２３を外嵌し、ネジ穴２５に図示しない小ネジを螺合することにより、操作軸５に対して抜脱不能に固定される。
【００１３】
操作軸５の先端側には、本体部１９より大径の円形フランジ部２７が同心円状に形成される。フランジ部２７の先端面は、ドアノブ９の結合面１３に密接される平坦な取付座面２９（図２参照）となっている。また、フランジ部２７の取付座面２９と反対側の背面３１（図４参照）は、ドアノブ９の外面曲率と略同一の曲面で形成されている。
【００１４】
フランジ部２７の取付座面２９には、回転中心軸線１１と同軸の嵌合軸３３が突設される。嵌合軸３３の先端にはビス挿通穴３５が穿設され、ビス挿通穴３５は角穴２３と連通している。したがって、角穴２３に挿入された固定ビス３７は、ビス挿通穴３５から突出可能となっている。この嵌合軸３３は、ドアノブ９の嵌合穴１５にガタツキなく嵌着する。
【００１５】
フランジ部２７の取付座面２９には嵌合軸３３の回転中心外側に少なくとも一つの回転規制突起３９が突設されている。本実施の形態において、回転規制突起３９は、嵌合軸３３を挟むように一対設けられるが、図３（ａ）（ｃ）に示した回転規制凹部１８の配置に対応させて、一つ又は二つ以上設けられるものであってもよい。また、図例の回転規制突起３９は、円柱形状であるが、この他、角柱や凸部（取付座面２９から突出した段部）であってもよい。
【００１６】
ドアノブ９の嵌合穴１５、回転規制凹部１８にはテーパ状の案内面１５ａ，１８ａを形成することが好ましい。また、嵌合軸３３，回転規制突起３９の先端にはテーパ状の面取部３３ａ，３９ａを形成することが好ましい。これにより回転規制突起３９は、嵌合軸３３が嵌合穴１５に嵌合されることで、回転規制凹部１８に一致して、スムースに嵌入される。
【００１７】
以上のように形成されたドアノブ９と中間軸部材７とは、嵌合軸３３を嵌合穴１５に挿入することで、同時に回転規制突起３９が回転規制凹部１８に進入し、中間軸部材７とドアノブ９との相対回転が規制される。この際、結合面１３、嵌合穴１５、回転規制凹部１８には接着剤を塗布しておくことが好ましい。本実施の形態による結合構造では、回転中心軸線１１から半径方向外側に延在する従来では存在しない大きな結合面１３が設けられるため、この結合面１３に接着剤が塗布されることで、従来の雄ネジ・雌ネジ間に塗布される接着剤に比べ、より強力な接着効果が得られることになる。
【００１８】
このようにして嵌合されたドアノブ９と中間軸部材７とは、角穴２３から挿入された固定ビス３７が、嵌合軸３３先端のビス挿通穴３５から突出され、ドアノブ９のビス用穴１７に螺合されることで一体に固定される。この状態で、フランジ部２７は、ドアノブ９に沈み込んで取り付けられ、フランジ部２７の背面３１とドアノブ９の表面とが連続される。このようにして固定されたドアノブ９と中間軸部材７は、中間軸部材７の嵌合軸３３が操作軸５に外挿され、ネジ穴２５に図示しない小ネジが螺合されることで、ドアノブ９が中間軸部材７を介して操作軸５に固定される。
【００１９】
この握り部材の結合構造では、嵌合軸３３と嵌合穴１５とが嵌合されると、中間軸部材７とドアノブ９との中心が一致するように位置決めされ、回転規制突起３９と回転規制凹部１８とが嵌合されて、相対回転が規制される。また、ドアノブ９は、中間軸部材７に挿通されてドアノブ９に螺合された固定ビス３７によって抜けが規制される。そして、このような結合構造では、回転規制突起３９が嵌合穴１５の外側に配設されることから、例えば従来の雄ネジ・雌ネジ螺合構造、或いは嵌合軸３３の外周にキーを設ける一般的な回転規制構造に比べ、小さな回転規制力によって回転操作力（回転モーメント）が受け止められることになる。したがって、ドアノブ９が比較的強度の小さい木材であっても、回転規制突起３９より受ける反力が少なくなり、回転規制凹部１８の拡大変形等が抑止されて、耐久性が高められる。
【００２０】
したがって、この握り部材の結合構造によれば、握り部材が比較的強度の小さい木材であっても、回転規制凹部１８の拡大変形等を抑止して、耐久性を高めることができ、この結果、確実な固定状態が長期間に渡って維持可能となり、握り部材の脱落を防止することができる。
【００２１】
なお、上記の実施の形態では、握り部材が略球形状のドアノブ９である場合を例に説明したが、この他、握り部材は、図５に示すようにレバー９Ａであってもよく、さらには円柱形状、多角柱形状等であってもよい。但し、この場合においても、上記したドアノブ９と同様に、結合面１３，嵌合穴１５，ビス用穴１７，回転規制凹部１８が設けられる。
【００２２】
また、上記の実施の形態では、中間軸部材７が金属、握り部材が木材である場合を例に説明したが、本発明に係る結合構造は、それらの材質に限定されるものではなく、この他、中間軸部材と握り部材が、仕上げの異なる金属同士、例えば、メッキ処理や鏡面、ヘアーライン、ブラスト仕上げ、梨子地などの表面処理の異なる金属素材同士や、また、握り部材のみにゴムや樹脂、例えば帯電防止樹脂や抗菌剤の配合された樹脂素材、発泡樹脂や軟質樹脂を被覆したもの、或いは、異なる色，色彩，模様等の組合せ、さらには、握り部材を合成樹脂とし、中間軸部材を金属等とするの組合わせであってもよい。
【図面の簡単な説明】
【００２３】
【図１】本発明に係る握り部材の結合構造の断面図である。
【図２】図１に示した結合構造の握り部材を外した状態の分解斜視図である。
【図３】回転規制凹部の配置例を（ａ）〜（ｃ）で表した説明図である。
【図４】図２に示した中間軸部材の斜視図である。
【図５】変形例の握り部材を固定した本発明に係る結合構造の断面図である。
【符号の説明】
【００２４】
１…扉
３…錠箱
５…操作軸
７…中間軸部材
９…握り部材（ドアノブ）
１１…回転中心軸線
１５…嵌合穴
１７…ビス用穴
１８…回転規制凹部
２１…基端面
２３…穴（角穴）
３３…嵌合軸
３５…ビス挿通穴
３７…固定ビス
３９…回転規制突起
【図１】
2005320738.tif 000003
【図２】
2005320738.tif 000004
【図３】
2005320738.tif 000005
【図４】
2005320738.tif 000006
【図５】
2005320738.tif 000007